(57)【要約】      （修正有）【課題】ヘアーバンドを髪の束に自動的にかつ効率的に付けることができる効果的なヘアーバンド適用装置を提供する。【解決手段】アプリケータ装置１０は、一つ以上のヘアーバンドを個別に及び連続して髪の束に付けるように構成されている。アプリケータ装置１０は、バンドカートリッジ２２によって支持されたヘアーバンドに係合し、ヘアーバンドを髪の束上に解放するためにバンドカートリッジ２２に沿って前進させる一連の移動を経た第１及び第２のバンドリフターを組み込んでいる。バンドカートリッジ２２は、個々のヘアーバンドの連続係合及び前記第１及び第２のヘアーバンドリフターによる操作のために、離間した関係でヘアーバンドを支持する。【選択図】図１
0003216458.tif 000002
【実用新案登録請求の範囲】
【請求項１】
髪の束にヘアーバンドを付けるための装置であって、
ハンドルと、
前記ハンドルに連結されたアプリケータヘッドであって、長手軸線を画定し、髪の束を受容するための長手方向開口部を有するアプリケータヘッドと、
前記アプリケータヘッドに取り付けられたバンドカートリッジであって、複数のヘアーバンドを支持するバンドカートリッジと、
前記アプリケータヘッド内に少なくとも部分的に取り付けられるヘアーバンドディスペンサ機構であり、前記長手軸線の対向する側に第１及び第２のバンドリフターを含む前記ヘアーバンドディスペンサ機構であって、前記第１及び第２のバンドリフターは半径方向内側に移動して前記バンドカートリッジの前記ヘアーバンドと係合し、長手方向に平行移動させて、前記ヘアーバンドを前記髪の束上に解放するために前記バンドカートリッジに沿って長手方向に移動させる、ヘアーバンドディスペンサ機構と、
前記第１及び第２のバンドリフターに動作可能に連結され、前記第１及び第２のバンドリフターの移動を行うように構成されたモータと、
を備える装置。
【請求項２】
前記第１及び第２のバンドリフターはそれぞれ、複数の長手方向に離間した歯を含み、長手方向に隣接する歯は個々のヘアーバンドを受け入れるように構成された溝を画定する、請求項１に記載の装置。
【請求項３】
前記バンドカートリッジは、前記アプリケータヘッドへの取り外し可能な取り付けのために構成される、請求項２に記載の装置。
【請求項４】
前記バンドカートリッジは前記長手軸線とほぼ整列しており、前記髪の束を受容するために長手方向通路を画定している、請求項３に記載の装置。
【請求項５】
前記モータに動作可能に連結されたカム部材であって、第１及び第２の長手方向位置の間で、半径方向内側状態及び半径方向外側状態の間で、前記第１及び第２のバンドリフターを移動させるために回転するように構成されている、カム部材を備える、請求項１に記載の装置。
【請求項６】
前記第１及び第２のバンドリフターのそれぞれに関連するカム部材を備える、請求項５に記載の装置。
【請求項７】
前記モータを作動させるように構成され、手動で係合可能なアクチュエータを備える、請求項６に記載の装置。
【請求項８】
前記モータと連通するスイッチであって、前記第１及び第２のバンドリフターが前記第１の長手方向位置に移動すると、前記モータを停止させるスイッチを備える、請求項７に記載の装置。
【請求項９】
髪の束にヘアーバンドを付けるための装置であって、
ハンドルと、
前記ハンドルに連結されたアプリケータヘッドであって、長手軸線を画定して、長手方向開口部を有するアプリケータヘッドと、
前記アプリケータヘッドに取り付けられたバンドカートリッジであって、複数のヘアーバンドを支持するバンドカートリッジと、
前記アプリケータヘッド内に少なくとも部分的に取り付けられるヘアーバンドディスペンサ機構であって、前記ヘアーバンドディスペンサ機構は前記長手軸線の対向する側に、第１及び第２のバンドリフターを含んでおり、前記第１及び第２のバンドリフターのそれぞれは、長手方向に間隔をおいて配置された複数の歯を含み、長手方向に隣接する歯はそれらの間に溝を画定し、
前記第１及び第２のバンドリフターは、順次、
１）第１の長手方向位置で半径方向外側状態から半径方向内側状態に移動し、それによって、前記第１及び第２のバンドリフターの溝が前記バンドカートリッジによって支持されるそれぞれのヘアーバンドを受ける、
２）前記第１の長手方向位置から第２の長手方向位置へと移動させて、前記ヘアーバンドを前記バンドカートリッジに沿って及び前記髪の束に対して移動させる、
３）前記第２の長手方向位置にある間に、前記半径方向内側状態から前記半径方向外側状態に移動し、それによって前記第１及び第２のバンドリフターの前記溝が前記ヘアーバンドを解放する、及び
４）前記半径方向外側状態にある間、前記第２の長手方向位置から前記第１の長手方向位置へ移動する、
ように構成されている、ヘアーバンドディスペンサ機構と、
前記第１及び第２のバンドリフターに動作可能に連結され、前記第１及び第２のバンドリフターの移動を行うように構成されたモータと、
を備える装置。
【請求項１０】
前記バンドカートリッジは、取り外し可能に前記アプリケータヘッドに取り付けられ、前記バンドカートリッジは、前記髪の束を受容するための長手方向通路を画定する、請求項９に記載の装置。
【請求項１１】
前記モータを作動させるように構成され、手動で係合可能なアクチュエータを備える、請求項１０に記載の装置。
【請求項１２】
前記モータと連通するスイッチであって、前記第１及び第２のバンドリフターが前記第１の長手方向位置に移動すると、前記モータを停止させるためのスイッチを備える、請求項１１に記載の装置。
【考案の詳細な説明】
【技術分野】
【０００１】
本開示は、毛髪にヘアーアクセサリーを付けるための装置、より詳細には、選択的に複数のヘアーバンドを髪の束に付けるための装置に関する。
【背景技術】
【０００２】
一つ以上の髪の束に、弾性ヘアーバンドを付けるための従来の方法は、選択した数の髪の束を手動でグループ化することと、ヘアーバンドを、髪の束の端部の周りを頭皮に向かって通過させることを含む。このプロセスを繰り返して、髪の束の周りに多数のヘアーバンドを付ける。この方法に伴う固有の欠点は、ヘアーバンドの位置決め及び配置に関連した困難及び／又は厄介さを含み、比較的非効率的でエラーを起こしやすいアプリケーション技術となる。したがって、ヘアーバンドを髪の束に自動的にかつ効率的に付けることができる効果的なヘアーバンド適用装置への需要がある。
【考案の概要】
【０００３】
したがって、本開示は、ヘアーバンドを髪の束に付けるための装置に関する。装置は、ハンドル、ハンドルに連結され、長手軸線を定め、髪の束を受容するための長手方向開口部を有するアプリケータヘッド、アプリケータヘッドに取り付けられ、複数のヘアーバンドを支持するバンドカートリッジと、アプリケータヘッドに少なくとも部分的に取り付けられたヘアーバンドディスペンサ機構とを含む。ヘアーバンドディスペンサ機構は、長手軸線の対向する側に、第１及び第２のバンドリフターを含む。第１及び第２のバンドリフターは、バンドカートリッジのヘアーバンドと係合し、髪の束の解放のために、ヘアーバンドをバンドカートリッジに沿って長手方向に移動させるように、半径方向内側に移動するように構成される。モータは、第１及び第２のバンドリフターに動作可能に結合され、第１及び第２のバンドリフターの移動を行うように構成される。
【０００４】
第１及び第２のバンドリフターは、それぞれ、長手方向に離間した複数の歯を含み、長手方向に隣接する複数の歯は、個々のヘアーバンドを受け入れるように構成された溝を定める。バンドカートリッジは、アプリケータヘッドへの取り外し可能な取り付けのために構成されても良い。バンドカートリッジは、一般的に、長手軸線と整列していてもよく、髪の束の受容するための長手方向通路を定める。
【０００５】
カム部材は、モータに動作可能に連結されていてもよい。カム部材は、第１及び第２の長手方向位置の間で、半径方向内側及び半径方向外側状態の間で、第１及び第２のバンドリフターを移動させるために回転するように構成される。カム部材は、第１及び第２のバンドリフターのそれぞれに関連付けられてもよい。
【０００６】
手動で係合可能なアクチュエータが設けられており、該アクチュエータは、モータを作動させるように構成される。スイッチは、モータと連通しており、第１及び第２のバンドリフターが第１の長手方向位置へ移動すると、モータが停止する。
【０００７】
他の実施形態において、髪の束にヘアーバンドを付けるための装置は、ハンドルと、ハンドルに連結され、長手軸線を定め、髪の束を受容するため長手方向開口部を有するアプリケータヘッドと、アプリケータヘッドに取り付けられ、複数のヘアーバンドを支持するバンドカートリッジ、及びアプリケータヘッドに少なくとも部分的に取り付けられるヘアーバンドディスペンサ機構とを含む。ヘアーバンドディスペンサ機構は、長手軸線の対向する側に、第１及び第２のバンドリフターを含む。第１及び第２のバンドリフターはそれぞれ、複数の長手方向に離間した歯を有しており、長手方向に隣接した歯は、その間の溝を定める。第１及び第２のバンドリフターは、次のように順次移動するように構成されている：
１）第１の長手方向位置での、半径方向外側状態から半径方向内側状態への移動により、第１及び第２のバンドリフターの溝は、バンドカートリッジに支持されるそれぞれのヘアーバンドを受ける；
２）第１の長手方向位置から第２の長手方向位置へ移動し、ヘアーバンドをバンドカートリッジに沿って、及び髪の束に対して移動させる；
３）第２の長手方向位置にある間に、半径方向内側状態から半径方向外側状態に移動し、それによって第１及び第２のバンドリフターの溝がヘアーバンドを解放する；及び
４）半径方向外側状態において、第２の長手方向位置から第１の長手方向位置への移動；及び
モータは、第１及び第２のバンドリフターに動作可能に結合され、第１及び第２のバンドリフターの移動を行うように構成される。
【０００８】
バンドカートリッジは、取り外し可能にアプリケータヘッドに取り付けられていてもよく、髪の束を受容するための長手方向通路を定める。手動で係合可能なアクチュエータを設けて、アクチュエータは、モータを作動させるように構成されてもよい。スイッチは、モータと連通されていてもよく、第１及び第２のバンドリフターが第１の長手方向位置へ移動すると、モータは停止される。
【０００９】
他の実施形態では、ヘアーバンドを髪の束に付ける方法が開示されている。該方法は、下記を含む：
アプリケータ装置のアプリケータヘッドの長手方向開口部に髪の束を導入することであって、該アプリケータヘッドは、長手方向に間隔をおいて配置される複数のヘアーバンドを有する、導入するステップ、
アプリケータヘッドの長手方向開口部に髪の束を通過させるステップ；
アプリケータヘッド内に少なくとも部分的に配置された、ヘアーバンドディスペンサ機構の第１及び第２の対向バンドリフターを、半径方向外側状態から半径方向内側状態に動かして、第１の長手方向位置で、ヘアーバンドと係合させるステップ；
長手軸線に沿って、第１及び第２の対向バンドリフターを第１の長手方向位置から第２の長手方向位置に平行移動させて、ヘアーバンドを長手方向開口部内で髪の束に相対的に移動させて、それにより、最上のヘアーバンドを髪の束上に開放させるステップ；
第２の長手方向位置において、第１及び第２の対向バンドリフターが、半径方向内側状態から半径方向外側状態に半径状に変位し、それにより第１及び第２の対向バンドリフターがヘアーバンドを解放するステップ；及び
第１及び第２の対向バンドリフターを第１の長手方向位置に戻すステップ。
【００１０】
アプリケータ装置は、第１及び第２の対向バンドリフターに動作可能に結合されたモータを含んでいてもよく、それにより、該方法は、モータを作動させて、第１及び第２の対向バンドリフターを動かすステップを含む。
【００１１】
該方法は、アプリケータヘッドの長手方向開口部内にバンドカートリッジを導入するステップを含み、バンドカートリッジは、間隔をあけて取り付けられているヘアーバンドを含む。
【００１２】
本開示の他の特徴及び利点は、以下の説明によってよりよく理解されるであろう。
【図面の簡単な説明】
【００１３】
以下、本開示の様々な態様及び利点を、図面を参照して説明する：
【図１】本開示の原理に従って、ヘアーバンドを付けるためのアプリケータ装置の斜視図である。
【図２】アプリケータ装置に取り外し可能に取り付けるためのバンドカートリッジの斜視図である。
【図３】除去された部分を含む、斜視図であり、アプリケータ装置の様々な部品を図示している。
【図４】アプリケータ装置のヘアーバンドディスペンサ機構の部品を示す分解斜視図である。
【図５Ａ】ヘアーバンドを分配するためのヘアーバンドディスペンサ機構の第１及び第２のバンドリフターの動作シーケンスを示す図である。
【図５Ｂ】ヘアーバンドを分配するためのヘアーバンドディスペンサ機構の第１及び第２のバンドリフターの動作シーケンスを示す図である。
【図５Ｃ】ヘアーバンドを分配するためのヘアーバンドディスペンサ機構の第１及び第２のバンドリフターの動作シーケンスを示す図である。
【図５Ｄ】ヘアーバンドを分配するためのヘアーバンドディスペンサ機構の第１及び第２のバンドリフターの動作シーケンスを示す図である。
【図６Ａ】髪の束にヘアーバンドを付ける際の、アプリケータ装置の使用を示す図である。
【図６Ｂ】髪の束にヘアーバンドを付ける際の、アプリケータ装置の使用を示す図である。
【図６Ｃ】髪の束にヘアーバンドを付ける際の、アプリケータ装置の使用を示す図である。
【図７】異なるサイズのバンドカートリッジと共に使用するため、ばね付勢されたカム壁を組み込む第１及び第２のバンドリフターの他の実施形態を示す図である。
【図８】図７と類似の図であり、図７の第１及び第２のバンドリフターの間に配置された相対的に小さな直径のバンドカートリッジを示す。
【図９】図７と類似の図であり、図７の第１及び第２のバンドリフターの間に配置された相対的に大きな直径のバンドカートリッジを示す。
【考案を実施するための形態】
【００１４】
本開示の特定の実施形態を、添付の図面を参照して以下に説明する。しかしながら、開示された実施形態は、開示の単なる例であり、様々な形態で具体化され得ることを理解されたい。周知の機能又は構成は、不必要な詳細で本開示を不明瞭にすることを避けるために詳細には説明しない。したがって、本明細書に記載された特定の構造的及び機能的詳細は、限定として解釈されるのでなく、単に請求項の根拠として、及び当業者に事実上、任意の適切な詳細構造で本開示を採用することを教示するための代表的な基礎として解釈される。
【００１５】
本開示のアプリケータ装置は、一つ以上のヘアーバンドを髪の束に個々に、順次適用するように構成される。一般的に、アプリケータ装置は、バンドカートリッジによって支持されるヘアーバンドに係合し、髪の束上での解放のために、ヘアーバンドをバンドカートリッジに沿って前進させる一連の移動を経た第１及び第２のバンドリフターを組み込む。バンドカートリッジは、個々のヘアーバンドの連続係合及び第１及び第２のヘアーバンドリフターによる操作のために、ヘアーバンドを離間した関係で支持する。
【００１６】
図１から４を参照すると、本開示の原理に従って、ヘアーバンドを髪の束に付けるためのアプリケータ装置１０が図示されている。アプリケータ装置１０は、概してハンドル１２と、ハンドル１２から延びるアプリケータヘッド１４とを含む。ハンドル１２は、ユーザによる手動の係合のために輪郭付けられており、一実施形態では、ユーザによる操作を強化するために長くされている。スイッチボタン又はアクチュエータ１６が、ハンドル１２に取り付けられ、アプリケータ装置１０の動作が制御される。
【００１７】
アプリケータヘッド１４は、長手軸線「ｋ」を定め、少なくとも部分的に長手軸線「ｋ」に沿って延びる長手方向開口部１８を有する。アプリケータヘッド１４は、髪の束の受容のために、長手方向開口部１８と連通する、又は長手方向開口部１８の構成要素である毛の入口ポート２０を画定する。バンドカートリッジ２２は、毛の入口ポート２０に対向して、長手方向開口部１８内に取り付けられている。バンドカートリッジ２２は、カートリッジハンドル２４及びカートリッジハンドル２４に依存する細長いバンド支持部２６を含む。バンドカートリッジ２２は、長手方向通路２８を画定し、長手方向通路２８は、毛の入口ポート２０を通ってアプリケータヘッド１４の長手方向開口部１８に入る髪の束を受ける。細長いバンド支持部２６は、その外側で複数のヘアーバンド３０を支持する。ヘアーバンド３０は、長手方向に離間して配置され、細長いバンド支持部２６の外面に沿って等距離に配置されてもよい。ヘアーバンド３０は、従来技術のように、膨張し、次いで髪の束に周りに固定された元の未膨張状態に戻るように構成されたエラストマー材料を含む。ヘアーバンド３０は、多色であってもよく、装飾的特徴などを有してもよい。
【００１８】
バンドカートリッジ２２は、アプリケータヘッド１４に対して取り外し可能に取り付けられてもよい。バンドカートリッジ２２をアプリケータヘッド１４取り外し可能に取り付けるための任意の従来方法が想定される。一実施形態において、アプリケータヘッド１４は、カートリッジロックボタン３２を含み、通常の内向き位置にあるとき、バンドカートリッジ２２の対応する構造、例えば、バンドカートリッジ２２のロック移動止め３４（図２）と係合して、アプリケータヘッド１４に対して、バンドカートリッジ２２を固定する。カートリッジロックボタン３２を方向矢印「ｍ」の方向に外側に引っ張って（図３）、バンドカートリッジ２２のロック移動止め３４を解放して、例えば、ヘアーバンド３０を喪失した後のバンドカートリッジ２２の取り外しを可能にしてもよい。他の実施形態において、バンドカートリッジ２２は、摩擦又は締まり嵌めによって、アプリケータヘッド１４に取り外し可能に取り付けられていてもよい。他の方法もまた想定される。
【００１９】
図４を参照して、アプリケータ装置１０のヘアーバンドディスペンサ機構について説明する。ヘアーディスペンサ機構は、モータ３６と、アプリケータヘッド１４内に固定されたバックプレート３８と、モータ３６の駆動軸３６ａに結合され、バックプレート３８によって支持される遊星歯車セット４０とを含む。カム部材４２が、遊星歯車セット４０の各最外歯車４０ａに動作可能に連結されており、これにより、最外歯車４０ａの回転がカム部材４２の対応する回転を引き起こす。カム部材４２は、遊星歯車セット４０に隣接して配置された中間プレート４４によって支持される。一実施形態において、カム部材４２のカムシャフト４２ａは、中間プレート４４の対応する開口部４６を通って延び、最外歯車４０ａの対応する寸法の開口４８との係合などにより、最外歯車４０ａと結合する。他の配置も想定される。カム部材４２は、ルーローの三角形を画定することができ、それによって、カム部材４２の回転運動は、それによって係合するコンポーネントの水平方向及び垂直方向の動きを引き起こすことができる。
【００２０】
ヘアーバンドディスペンサ機構はさらに、長手軸線「ｋ」の対向する側に、例えば、直径方向に対向する関係で配置された第１及び第２のバンドリフター５０を含む。第１及び第２のバンドリフター５０は、カム部材４２を少なくとも部分的に収容するカムマウント５２と、カムマウント５２に結合された第１及び第２のバンド係合要素５４とを含む。カムマウント５２は、第１及び第２のバンドリフター５０の所望の動きをもたらすように、カム部材４２によって係合される内部の第１及び第２の垂直面５２ｖ１、５２ｖ２及び第１及び第２の水平面５２ｈ１、５２ｈ２を画定する。バンド係合要素５４は、複数の歯５５を含む。長手方向に隣接する歯５５は、長手軸線「ｋ」に沿って間隔を置いて配置されたバンド係合溝５６を画定する。一実施形態において、係合溝５６は、長手軸線「ｋ」に沿って等距離に配置される。バンド係合溝５６は、バンド支持部２６上のそれぞれのヘアーバンド３０を受け取り、ヘアーバンド３０をバンドカートリッジ２２の細長いバンド支持部２６に沿ってアプリケータヘッド１４内で、及び髪の束に対して移動するように構成される（例えば、歯５５との係合によって）。フロントプレート５８は、第１及び第２のバンドリフター５０を支持し、従来の手段により中間プレート４４に固定される。マイクロスイッチ６０は、カムマウント５２に隣接して配置される。
【００２１】
図５Ａから５Ｄを参照して、ヘアーバンドディスペンサ機構の動作について説明する。図５Ａは、ヘアーバンド３０と係合する第１の長手方向位置及び半径方向外側状態にある第１及び第２のバンドリフター５０を示す。ユーザは、アクチュエータ１６を作動させて、ヘアーバンドディスペンサ機構の作動を開始させる。モータ３６は作動して、遊星歯車システム４０の動きを与えて、カム部材４２を図５Ａに示す第１の位置から、図５Ｂに示す第２の位置まで回転させる。動作中、カム部材４２は、カムマウント５２の少なくとも第２の垂直面５２ｖ２に係合して、第１及び第２のバンドリフター５０を、半径方向内向きに、半径方向内側状態に移動させ、これにより、バンド係合要素５４の受け溝５６は、ヘアーバンド３０を受け、ヘアーバンド３０に係合する。カム部材４２の継続的な回転は、カムマウント５２を、第２の水平面５２ｈ２との係合、例えば、第２の長手方向位置５２ｈ２への上方に移動させ、図５Ｃに示すように、最上のヘアーバンド３０を毛髪に開放する。一実施形態において、最上部の歯５５ｕ、又は第１及び第２のバンドリフター５０の最上部の面は、最上のヘアーバンド３０を髪の束「ｈ」上に駆動する。カム部材４２は、第１の垂直面５２ｖ１を回転及び係合し続け、第１及び第２のバンドリフター５０を半径方向外向きに半径方向外側状態に駆動し、図５Ｄに示すようにヘアーバンド３０を解放する。カム部材４２の継続的な回転は、カムマウント５２を図５Ａの第１の長手方向位置に戻す。第１の長手方向位置に戻ると、カムマウント５２の一つがマイクロスイッチ６０と接触して、モータ３６を停止させる。ユーザは、アクチュエータ１６を作動させて処理を繰り返し、第２ヘアーバンド３０を髪の束に付けることができる。
【００２２】
図６Ａから６Ｃは、ヘアーバンド３０を髪の束「ｈ」に付けることを示す。髪の束「ｈ」は、アプリケータヘッド１４の毛の入口ポート２０に導入され、図６Ａに示すように、バンドカートリッジ２２の長手方向通路２８を通って前進させられる。アクチュエータ１６を作動させて、ヘアーバンドディスペンサ機構は、図５Ａから５Ｄで説明された動作シーケンスを開始して、図６Ｂに示すように第１ヘアーバンド３０を髪の束「ｈ」に付ける。第１のバンド３０（及び全ての後続バンド）を付けた後、カムマウント５２がマイクロスイッチ６０に接触して、モータ３６が停止される。次の連続するバンド３０は、アクチュエータ１６を作動させて、第２のバンド３０を髪の束「ｈ」上に配置することにより、付けることができる。図６Ｃに示すように、このプロセスは、追加のバンド３０を位置決めするために繰り返されてもよい。バンド係合溝５６の長手方向の間隔のために、バンド３０は、実質的に等しい長手方向インクリメントで髪の束「ｈ」に沿って長手方向に離間される。
【００２３】
図７は、アプリケータ装置１０が異なる直径のバンドカートリッジ２２を収容することを可能にする他の実施形態を示す。この実施形態によれば、バネ付勢された垂直カム壁７０が各カムマウント５２内に配置されている。具体的に、カム壁７０が各カムマウント５２に配置され、カムマウント５２内で方向矢印「ｂ１、ｂ２」の方向に往復横方向移動するように構成されている。コイルバネ７２は、カム壁７０と係合して、カム壁７０を半径方向外側に付勢する。図８に示すように、比較的小径のバンドカートリッジ２２を挿入すると、カム壁７０は、上述した第２の垂直面５２ｖ２と同様に機能して、カムマウント５２及び第１及び第２のバンドリフター５０を、図５Ａから５Ｄに関連して上述した一連の移動に沿って操作する。コイルバネ７２のばね定数は、カム部材４２が回転してカムマウント５２の所望の運動を行う様に、カム壁７０の半径方向の動きを最小にするか又はなくすように選択されてもよいことに留意されたい。図９は、アプリケータヘッド１４内に大径のバンドカートリッジ２２を挿入する様子を示している。大径のバンドカートリッジ２２が挿入されると、第１及び第２のバンドリフター５０は、コイルバネ７２の圧縮によって半径方向の変位運動が調整された状態で半径方向外方に移動し、カム壁７０をカム部材４２に対して所望の位置に維持する。小径のバンドカートリッジ２２又は大径のバンドカートリッジ２２に何れかが第１及び第２のバンドリフター５０の間に配置された状態で、カム部材４２が回転して、カムマウント５２及びカム壁７０のそれぞれの内壁と係合して、図５Ａから５Ｄに関連して開示された所望の一連の移動がなされる。
【００２４】
本開示のいくつかの実施形態が図面に示され、本明細書に記載されているが、本開示は、当技術分野で許容される範囲で広範なものであり、明細書も同様に読まれることを意図しているので、本開示はそれに限定されるものではない。したがって、上記の記載は、限定として解釈されるべきではなく、単に特定の実施形態の例として解釈されるべきである。当業者であれば、添付の実用新案登録請求の範囲の精神及び範囲内で他の変更を想到するであろう。
【図１】
0003216458.tif 000003
【図２】
0003216458.tif 000004
【図３】
0003216458.tif 000005
【図４】
0003216458.tif 000006
【図５Ａ】
0003216458.tif 000007
【図５Ｂ】
0003216458.tif 000008
【図５Ｃ】
0003216458.tif 000009
【図５Ｄ】
0003216458.tif 000010
【図６Ａ】
0003216458.tif 000011
【図６Ｂ】
0003216458.tif 000012
【図６Ｃ】
0003216458.tif 000013
【図７】
0003216458.tif 000014
【図８】
0003216458.tif 000015
【図９】
0003216458.tif 000016